(57)【要約】【課題】  火を使った高出力のガスコンロユニットと安全性の高いＩＨコンロユニットとを備え、ガス配管が不要でいわゆる電化住宅での設置も可能で、かつ、ガスコンロユニットの利便性の向上を図る。【解決手段】  基台（２、４０）と、該基台（２、４０）に載置されたＩＨコンロユニット（２０、５０）と、上記基台（２、４０）に載置されたガスコンロユニット（３０、６０）とを、有し、該ガスコンロユニット（３０、６０）はガスカートリッジ式ボンベ（３３）を用いるものであり、かつ、少なくとも、前記ガスコンロユニット（３０、６０）を上記基台（２、４０）に対して着脱自在に設ける。【選択図】    図１
2005282997.tif 000002
【特許請求の範囲】
【請求項１】
基台（２、４０）と、該基台（２、４０）に載置される電磁誘導加熱コンロユニット（２０、５０）と、前記基台（２、４０）に載置されるガスコンロユニット（３０、６０）とを、有し、
該ガスコンロユニット（３０、６０）はガスカートリッジ式ボンベ（３３）を用いるものであり、
かつ、少なくとも、前記ガスコンロユニット（３０、６０）を前記基台（２、４０）に対して着脱自在に設けている、
ことを特徴とする加熱調理器具。
【請求項２】
電磁誘導加熱コンロユニット（２０）を基台（２）に対して着脱自在に設けるとともに、
電磁誘導加熱コンロユニット（２０）の外形とガスコンロユニット（３０）の外形とをほぼ同じ形状及び大きさに形成している、
ことを特徴とする請求項１の加熱調理器具。
【請求項３】
電磁誘導加熱コンロユニット（２０）には電力供給を受けるためのコンロ側接続コネクター（２７）が設けられ、
基台（２）には電磁誘導加熱コンロユニット（２０）の前記コンロ側接続コネクター（２７）が接続される基台側接続コネクター（５）が設けられており、
電磁誘導加熱コンロユニット（２０）を基台（２）に載置したときに、電磁誘導加熱コンロユニット（２０）のコンロ側接続コネクター（２７）が基台（２）の基台側接続コネクター（５）に接続する、
ことを特徴とする請求項１又は請求項２の加熱調理器具。
【請求項４】
電磁誘導加熱コンロユニット（２０、５０）の操作部（２５）を電磁誘導加熱コンロユニット（２０、５０）の上面に設けている、
ことを特徴とする請求項１乃至請求項３の加熱調理器具。
【請求項５】
ガスコンロユニット（３０、６０）の操作部（３４）をガスコンロユニット（３０、６０）の上面に設けている、
ことを特徴とする請求項１乃至請求項３の加熱調理器具。
【請求項６】
電磁誘導加熱コンロユニット（５０）を、基台（４０）に載置したガスコンロユニット（６０）の上方に重なるように、基台（４０）に対して着脱自在に設けている、
ことを特徴とする請求項１の加熱調理器具。
【請求項７】
各コンロユニット（８０、９０）が載置される基台（７０）の各載置スペースに、複数の凹部（７２）を形成し、
該凹部（７２）のうち１つの凹部（７２ａ）に、電磁誘導加熱コンロユニット（８０）のコンロ側接続コネクター（８２）が接続する基台側接続コネクター（５）を配置して、
前記ガスコンロユニット（９０）の底部（９２）には前記各凹部（７２）に対応する位置に凸部（９３）を各別に設け、これら凸部（９３）がガスコンロユニット（９０）を基台（７０）から取り外して使用する際の脚部として機能するようにした、
ことを特徴とする請求項３乃至請求項５の加熱調理器具。
【発明の詳細な説明】
【技術分野】
【０００１】
本発明は、ガスコンロユニットと電磁誘導加熱コンロユニット（以下、「ＩＨコンロユニット」という。）とを備えた加熱調理器具に関し、特に、電化住宅などにおいて用いて好適な加熱調理器具に関するものである。
【背景技術】
【０００２】
ガスコンロユニットは、直火を用い高出力であるため、たとえば、炒め物などを料理するのには必需的なものである反面、直火を使うということで、安全面において問題がある。特に、高齢者や幼児が居る家庭などにおいてはこれらを誤って使用した場合、火傷、火災などを起こす危険性があり重要な問題である。
一方、ＩＨコンロユニットは、火を使わない加熱調理器具であり、安全性が高い反面、調理器具に制約を受ける場合がある。
【０００３】
ガスコンロユニットとＩＨコンロユニットとを備えた複合加熱調理器具が、以下に示す特許文献に示されている。
【特許文献１】特開２００１−３５１７６８号公報
【特許文献２】特開２００１−１２７５１号公報
【特許文献３】特開２００１−７６８５６号公報
【特許文献４】特開２００１−１０８２４５号公報
【発明の開示】
【発明が解決しようとする課題】
【０００４】
しかしながら、前記各公報に記載された複合加熱調理器具のガスコンロユニットについては、ガスの配管が必要であり、いわゆる電化住宅（都市ガスやプロパンガスをエネルギー源とせず電力だけをエネルギー源とする住宅）に設置することはできないという問題がある。
【０００５】
また、ガスコンロユニット及びＩＨコンロユニットがともに据付型の加熱調理器具として設置されているため、設置場所（キッチンなど）以外の場所（たとえば、食卓テーブルの上など）で調理（鍋物や焼き肉など）を行おうとする場合には、ガスカートリッジ式ボンベを使用するガスコンロユニット、いわゆるガスカートリッジ式ガスコンロユニットなどを別途用意しなければならないという問題があった。
【０００６】
本発明は、かかる問題点を解決するために創案されたものである。すなわち、本発明の目的は、火を使った高出力のガスコンロユニットと安全性の高いＩＨコンロユニットとを備え、ガス設備を持たない電化住宅においても設置が可能で、かつ、ガスコンロユニットの利便性の向上を図った加熱調理器具を提供することにある。
【課題を解決するための手段】
【０００７】
請求項１の発明は、基台（２、４０）と、該基台（２、４０）に載置される電磁誘導加熱コンロユニット（２０、５０）と、前記基台（２、４０）に載置されるガスコンロユニット（３０、６０）とを、有し、該ガスコンロユニット（３０、６０）はガスカートリッジ式ボンベ（３３）を用いるものであり、かつ、少なくとも、前記ガスコンロユニット（３０、６０）を前記基台（２、４０）に対して着脱自在に設けていることを特徴とする。
【０００８】
請求項２の発明は、電磁誘導加熱コンロユニット（２０）を基台（２）に対して着脱自在に設けるとともに、電磁誘導加熱コンロユニット（２０）の外形とガスコンロユニット（３０）の外形とをほぼ同じ形状及び大きさに形成していることを特徴とする。
【０００９】
請求項３の発明は、電磁誘導加熱コンロユニット（２０）には電力供給を受けるためのコンロ側接続コネクター（２７）が設けられ、基台（２）には電磁誘導加熱コンロユニット（２０）の前記コンロ側接続コネクター（２７）が接続される基台側接続コネクター（５）が設けられており、電磁誘導加熱コンロユニット（２０）を基台（２）に載置したときに、電磁誘導加熱コンロユニット（２０）のコンロ側接続コネクター（２７）が基台（２）の基台側接続コネクター（５）に接続することを特徴とする。
【００１０】
請求項４の発明は、電磁誘導加熱コンロユニット（２０、５０）の操作部（２５）を電磁誘導加熱コンロユニット（２０、５０）の上面に設けていることを特徴とする。
【００１１】
請求項５の発明は、ガスコンロユニット（３０、６０）の操作部（３４）をガスコンロユニット（３０、６０）の上面に設けていることを特徴とする。
【００１２】
請求項６の発明は、電磁誘導加熱コンロユニット（５０）を、基台（４０）に載置したガスコンロユニット（６０）の上方に重なるように、基台（４０）に対して着脱自在に設けていることを特徴とする。
【００１３】
請求項７の発明は、各コンロユニット（８０、９０）が載置される基台（７０）の各載置スペースに、複数の凹部（７２）を形成し、該凹部（７２）のうち１つの凹部（７２ａ）に、電磁誘導加熱コンロユニット（８０）のコンロ側接続コネクター（８２）が接続する基台側接続コネクター（５）を配置して、前記ガスコンロユニット（９０）の底部（９２）には前記各凹部（７２）に対応する位置に凸部（９３）を各別に設け、これら凸部（９３）がガスコンロユニット（９０）を基台（７０）から取り外して使用する際の脚部として機能するようにしたことを特徴とする。
【発明の効果】
【００１４】
請求項１の発明によれば、１つの加熱調理器具（１、１Ａ）としてのコンロ台をＩＨコンロユニット（２０、５０）とガスコンロユニット（３０、６０）との２種類を使用することができ、調理、料理などに合わせたコンロユニット（２０、３０）の選択が可能になる。これにより、高齢者、幼児などには火を使わないＩＨコンロユニット（２０、５０）を使用させることにより、火の消し忘れ、火事、火傷などの不測の事故をあらかじめ防止することができる。
また、ガスコンロユニット（３０、６０）をガスカートリッジ式ボンベ（３３）を使用するものとしたので、たとえば、電化住宅などへ当該加熱調理器具（１、１Ａ）を設置することが可能であり、かつ、ガスコンロユニット（３０、６０）を基台（２、４０）からの脱着することができるため、加熱調理器具（１、１Ａ）を設置したキッチン以外の場所、たとえば、食卓テーブルの上でもガスコンロユニット（３０、６０）を使用することができ、ガスコンロユニット（３０、６０）の利便性を向上させることができる。
【００１５】
請求項２の発明によれば、ＩＨコンロユニット（２０）を基台（２）に対して着脱自在に設けるとともに、ＩＨコンロユニット（２０）の外形とガスコンロユニット（３０）の外形とをほぼ同じ形状及び大きさに形成したので、基台（２）に対する両コンロユニット（２０、３０）の配列を容易に変更することができ、使い勝手を良好にすることができ、過熱調理器具（１、１Ａ）の利便性をさらに向上させることができる。
【００１６】
請求項３の発明によれば、ＩＨコンロユニット（２０）に接続コードを差し込む接続コネクター（２７）を設け、基台（２）にＩＨコンロユニット（２０）の前記接続コネクター（２７）が接続される接続コネクター（５）を設けたので、ＩＨコンロユニット（２０）を基台（２）に載置したときに、ＩＨコンロユニット（２０）側の接続コネクター（２７）と基台（２）側の接続コネクター（５）とを接続することができ、ＩＨコンロユニット（２０）の配線の簡略化を図ることができる。これにより、基台（２）にＩＨコンロユニット（２０）を載置するだけで接続することができ、ＩＨコンロユニット（２０）の基台（２）へのセッティングを容易にすることができる。
【００１７】
請求項４の発明によれば、ＩＨコンロユニット（２０、５０）の操作部（２５）をＩＨコンロユニット（２０、５０）の上面に形成したので、各コンロユニット（２０、３０）を基台（２、４０）にセッティングしたときに、ＩＨコンロユニット（２０、５０）の操作部（２５）が隣接するコンロユニット（ガスコンロユニット（３０、６０）かＩＨコンロユニット（２０、５０）かは問わない。）に邪魔されず操作可能となる。このことは、各コンロユニットの基台（２、４０）上における配列の自由度を増すことになる。また、ＩＨコンロユニット（２０、５０）の上面に操作部（２５）を形成したため、背の低い幼児などに操作部（２５）を操作されることがなく、安全性の向上にも貢献する。
【００１８】
請求項５の発明によれば、ガスコンロユニット（３０、６０）の操作部（３４）をガスコンロユニット（３０、６０）の上面に形成したので、各コンロユニットを基台（２、４０）にセッティングしたときに、ガスコンロユニット（３０、６０）の操作部が隣接するコンロユニット（ガスコンロユニット（３０、６０）かＩＨコンロユニット（２０、５０）かは問わない。）に邪魔されず操作可能となる。このことは、各コンロユニットの基台（２、４０）上における配列の自由度を増すことになる。また、ガスコンロユニット（３０、６０）の上面に操作部を形成したため、背の低い幼児などに操作部（３４）を操作されることがなく、安全性の向上にも貢献する。
【００１９】
請求項６の発明によれば、ＩＨコンロユニット（２０、５０）を基台（２、４０）に対して着脱自在に配置し、該ＩＨコンロユニット（２０、５０）の下側にガスコンロユニット（３０、６０）を配置したので、ＩＨコンロユニット（２０、５０）を退けなければ、ガスコンロユニット（３０、６０）を使用することができず、高齢者、幼児などによるガスコンロユニット（３０、６０）の使用を抑止することができ、安全性の向上を図ることができる。
【００２０】
請求項７の発明によれば、ガスコンロユニット（９０）の底部に複数の凸部（９３）を形成したので、ガスコンロユニット（９０）を基台（７０）から離して食卓テーブルなどの上で使用する際に脚部として機能させることができ、ケース体（９１）が直接食卓テーブルなどに接触することがなく安全性の向上を図ることができる。
【発明を実施するための最良の形態】
【００２１】
加熱調理器具において、安全性かつ利便性を向上させるという目的を、ＩＨコンロユニットと着脱自在に載置したガスコンロユニットとを基台に配置することで実現した。
【実施例１】
【００２２】
以下、本発明の好ましい実施例１を図１乃至図５を参照して説明する。本発明の実施例１は、コンロ数が４つのいわゆる４口コンロの加熱調理器具１に適用したものである。
図１は実施例１を説明するための加熱調理器具の概略斜視図、図２はＩＨコンロユニットの概略断面図、図３はＩＨコンロユニットの平面図、図４はガスコンロユニットの概略断面図、図５はガスコンロユニットの平面図である。
【００２３】
加熱調理器具１は、キッチンなど所定の場所に据え付けられる基台２と、該基台２に載置される２つのＩＨコンロユニット２０及び２つのガスコンロユニット３０とを備える（図１参照）。
【００２４】
基台２の上面には前方及び上方に開口する凹所３が形成されており、該凹所３の底面（基台２の天板に相当するので、以下、「天板４」という。）に４つの接続コネクター（以下、「基台側接続コネクター」という。）５が上記天板４から突出するように設けられている（図１参照）。
これら基台側接続コネクター５はそれぞれ上記ＩＨコンロユニット２０に電力を供給するためのものである。
基台２に４つの基台側接続コネクター５を配設したのは、ＩＨコンロユニット２０をいずれの載置スペースに載置しても、これらに電力を供給することができるようにするためである。
【００２５】
４つの基台側接続コネクター５は、天板４の奥側において左右方向に適宜離間した２箇所と、その手前側の左右方向に適宜離間した２箇所とに配置されている（図１参照）。これら４つの基台側接続コネクター５は４つのコンロユニット２０、３０が載置される各載置スペースに各別に設けられている。
これら基台側接続コネクター５は凹所３の天板４から突出するように設けられ、後述するＩＨコンロユニット２０側の接続コネクターとの接続方向が上下方向になるようになっている（図１参照）。
【００２６】
ＩＨコンロユニット２０は、直方体形状をしたケース体２１と、該ケース体２１内に内蔵された磁力発生コイル２２と、ケース体２１の天板２３に設けられたトッププレート２４、と天板２３に設けられた操作部２５と、を有する（図２、図３参照）。
ケース体２１の底部２６には凹部２７ａが形成され、該凹部２７ａ内に接続コネクター（以下、「コンロ側接続コネクター」という。）２７が設けられている（図２参照）。
上記トッププレート２４は円盤状をした磁性材料から成り、天板２３の中央から一方の側縁に偏った位置であって、上記磁力発生コイル２２の上方に設けられている（図３参照）。
操作部２５は上記トッププレート２４が偏った側と反対側の寄った位置の天板２３上に配置されている（図３参照）。
ＩＨコンロユニット２０のケース体２１の底部２６に設けられた接続コネクター２７は、当該ＩＨコンロユニット２０を基台２にその上方から載置したときに、上記基台側接続コネクター５に接続するようになっている（図１参照）。
【００２７】
ガスコンロユニット３０は、ケース体３１と、ガスコンロ部３２と、ガスカートリッジ式ボンベ３３と、操作部３４と、を有する（図４、図５参照）。
ガスコンロユニット３０のケース体３１は上記ＩＨコンロユニット２０のケース体２１とほぼ同じ形状及び大きさをしており、ケース体３１の天板３５がその中心から一方の側縁に偏った部分で円形に切り除かれて、該部分に上記ガスコンロ部３２が設けられている（図１参照）。
上記ガスコンロ部３２が一方に偏って設けられたケース体３１内の空いた部分に上記ガスカートリッジ式ボンベ３３が配置されている（図５参照）。
ガスコンロユニット３０の操作部３４は、ケース体３１の天板３５のガスコンロ部３２と上記ガスカートリッジ式ボンベ３３との間であって、その手前側の位置に設けられている（図５参照）。
ガスコンロユニット３０のケース体３１の底部３６であって、上記ＩＨコンロユニット２０のケース体３１に形成されたコンロ側接続コネクター２７に対応する位置に、凹部３６ａが形成されている（図４参照）。
【００２８】
ガスコンロユニット３０の載置する位置は４つある載置スペースのいずれでも良いが、この実施例１においては、２つのガスコンロユニット３０、３０を基台２の凹所３のうち、奥側の左右２箇所の載置スペースに載置するものとする。
そして、その載置スペースの上方からガスコンロユニット３０を基台２に載置すると、基台２に設けられた基台側接続コネクター５がガスコンロユニット３０の凹部３６ａ内に嵌合し、これにより、基台側接続コネクター５がガスコンロユニット３０のケース体３１に干渉することはない（図４参照）。このようにして、基台２の奥側に左右方向に並んで２つのガスコンロユニット３０がセッティングされる。
【００２９】
次に、基台２に対してＩＨコンロユニット２０を載置する。ＩＨコンロユニット２０の載置する位置は、この実施例１においては、基台２の凹所３のうち、手前側の左右２箇所の位置であり、その上方からＩＨコンロユニット２０を基台２に載置する。このとき、上述のように、ＩＨコンロユニット２０のコンロ側接続コネクター２７を基台２の基台側接続コネクター５に接続することにより、ＩＨコンロユニット２０と基台側接続コネクター５との電気的接続が図られる。
このようにして、基台２の手前側には左右方向に並んで２つのＩＨコンロユニット２０が電気的接続が図られた状態でセッティングされ、上述の２つのガスコンロユニット３０と合わせて４つのコンロユニット２０、３０が基台２に対してセッティングされることになる（図１参照）。
【００３０】
しかして、この実施例１にかかる加熱調理器具１によれば、１つの加熱調理器具１としてのコンロ台をＩＨコンロユニット２０とガスコンロユニット３０との２種類を使用することができ、調理、料理などに合わせたコンロユニット２０、３０の選択が可能になる。このことは、高齢者、幼児などには火を使わないＩＨコンロユニット２０を主に使用させ、火の消し忘れ、火事、火傷などの不測の事故をあらかじめ防止することができる。
また、電化住宅に住み替え時などに、それまで持っていた土鍋、銅鍋などＩＨコンロユニット２０では使用に供し得ない調理器具であっても、ガスコンロユニット３０を備えているのでここで使用することができ、無駄になることはない。
ガスコンロユニット３０をガスカートリッジ式ボンベ３３を使用するものとしたので、ガス管の配管が不要であり、電化住宅などにおいても当該加熱調理器具１を設置することができる。
【００３１】
２つのＩＨコンロユニット２０と２つのガスコンロユニット３０とを基台２に対して着脱自在に載置しているため、ＩＨコンロユニット２０又はガスコンロユニット３０を基台２から外して別の場所、たとえば、食卓テーブルの上に移動して使用することができる。なお、少なくとも、ガスコンロユニット３０のみ基台２に対して着脱自在に載置するようにしておいてもよく、このようにしておけば、別の場所でのガスコンロユニット３０の使用を可能にし、別途、それだけのためのガスカートリッジ式ガスコンロを用意しておく必要はない。そして、ガスコンロユニット３０のみ基台２に対して着脱自在に載置するようにした場合にはＩＨコンロユニット２０は基台２に対して着脱自在にする必要はなく、よって、上述のように各接続コネクター５、２７により基台２とＩＨコンロユニット２０を接続するようにする必要はなく、ＩＨコンロユニットに接続コードを直接接続するようにしても良い。
【００３２】
ＩＨコンロユニット２０の外形とガスコンロユニット３０の外形とをほぼ同じ形状及び大きさに形成したので、基台２に対する両コンロユニット２０、３０の配列を容易に変更することができ、使い勝手が良好な配置にすることができ、利用者の利便性を向上させることができる。すなわち、基台２に対する各コンロユニット２０、３０の配列は、自由であり、２つのＩＨコンロユニット２０を奥側に、２つのガスコンロユニット３０を手前側に配列しても良いし、或いは基台２の手前側及び奥側にそれぞれ１つずつのＩＨコンロユニット２０と１つずつのガスコンロユニット３０を配列するようにしても良い。さらに、各コンロユニット２０、３０の個数は２つずつでなくてもよく、３つのＩＨコンロユニット２０と１つのガスコンロユニット３０とであってもよい。
【００３３】
基台２に基台側接続コネクター５を、また、ＩＨコンロユニット２０にコンロ側接続コネクター２７を設けたので、ＩＨコンロユニット２０の配線の簡略化を図ることができ、利便性の向上、特に、ＩＨコンロユニット２０を基台２に載置するだけで電気的接続を図ることができ、ＩＨコンロユニット２０の基台２へのセッティングを容易に行うことができる。
【００３４】
ＩＨコンロユニット２０の操作部２５をＩＨコンロユニット２０の上面に形成したので、各コンロユニット２０、３０を基台２にセッティングしたときに、ＩＨコンロユニット２０の操作部２５が隣接するコンロユニット２０、３０（ガスコンロユニット３０かＩＨコンロユニット２０かは問わない。）に邪魔されず操作可能となる。このことは、各コンロユニット２０、３０の基台２上における配列の自由度を増すことになる。また、ＩＨコンロユニット２０の上面に操作部２５を形成したため、背の低い幼児などに操作部２５を操作されることがなく、安全性の向上にも貢献することができる。
【００３５】
ガスコンロユニット３０の操作部３４をガスコンロユニット３０の上面に形成すると、各コンロユニット２０、３０を基台２にセッティングしたときに、ガスコンロユニット３０の操作部が隣接するコンロユニット２０、３０（ガスコンロユニット３０かＩＨコンロユニット２０かは問わない。）に邪魔されず操作可能となる。このことは、各コンロユニット２０、３０の基台２上における配列の自由度を増すことになる。また、ガスコンロユニット３０の上面に操作部３４を形成したため、背の低い幼児などに操作部３４を操作されることがなく、安全性の向上にも貢献することができる。
【００３６】
特に、上記実施例１に係る加熱調理器具１のように、基台２の奥側にガスコンロユニット３０を配置することにより、高齢者、幼児などにとってはガスコンロユニット３０が使いにくくなり、これらの者が誤って使用することを防止することができる。
【００３７】
なお、上記実施例１において、ＩＨコンロユニット２０のケース体２１とガスコンロユニット３０のケース体３１との形状を同じにしたが、両ケース体２１、３１の高さを異ならせることもできる。たとえば、ガスコンロユニット３０のケース体３１の高さをＩＨコンロユニット２０よりやや低くし、その高さの差分に相当する板厚の平板（図示は省略する。）をガスコンロユニット３０の上部に配置すると、該平板とＩＨコンロユニットの天板と面一にすることができ、これらの上で鍋類をスライドさせるだけで移動させることができ、使い勝手をさらに良好にすることができる。
【実施例２】
【００３８】
次に、本発明の実施例２について図６を参考にして説明する。この実施例２が上記実施例１と相違する点は、ＩＨコンロユニットとガスコンロユニットとを上下方向に重ねるように配置した点である。
この実施例２にかかる加熱調理器具１Ａは、基台４０に１つのＩＨコンロユニット５０と１つのガスコンロユニット６０とを有し、ＩＨコンロユニット５０はガスコンロユニット６０の上方に配置されている。
【００３９】
ＩＨコンロユニット５０とガスコンロユニット６０とは平面形状がほぼ同じに形成されている。
また、上記基台４０には前方に開口する凹所４１が形成され、該凹所４１はその平面形状の大きさが上記ＩＨコンロユニット５０及びガスコンロユニット６０の平面形状よりわずかに大きく、また、その高さ寸法が上記ＩＨコンロユニット５０とガスコンロユニット６０とを重ね合わせた高さよりやや大きく形成されている。
【００４０】
そして、ＩＨコンロユニット５０及びガスコンロユニット６０は、先ず、ガスコンロユニット６０が基台４０の凹所４１に載置され、該ガスコンロユニット６０の上側にＩＨコンロユニット５０が配置される。
なお、ガスコンロユニット６０とＩＨコンロユニット５０との間には、ＩＨコンロユニット５０の安定を図るためのスペーサを介在することが好ましい。
【００４１】
しかして、この実施例２にかかる加熱調理器具１Ａにあっては、ガスコンロユニット６０を使用しようとする場合、必ず、ＩＨコンロユニット５０を退かさなければならず、火を使うガスコンロユニット６０の使用をさらに抑制し、高齢者、幼児などが誤って使用することを防止することができ、安全性をさらに向上させることができる。
この実施例２にかかる加熱調理器具１Ａにあっては、勿論、上記実施例１にかかる加熱調理器具１と同様に、調理、料理などに合わせたコンロユニット５０、６０の選択が可能になり、ガスコンロユニット６０はガスカートリッジ式ボンベ３３を使用するものとしたので、ガス管の配管は不要であり、たとえば、電化住宅などへ当該加熱調理器具１の設置も可能である。また、ＩＨコンロユニット５０又はガスコンロユニット６０を基台４０から外して別の場所、たとえば、食卓テーブルの上に移動して使用することができる。
【実施例３】
【００４２】
次に、本発明の実施例３について図７乃至図１０を参考にして説明する。この実施例３が上記実施例１と相違する点は、基台の各載置スペースに複数の凹部を形成し、該凹部に対応するように各コンロユニットの底面に凸部を形成して、該凸部を各コンロユニットを基台以外で使用したときの脚部として機能するようにする点である。
【００４３】
この実施例３にかかる加熱調理器具１Ｂは、基台７０の天板７１上の各載置スペースには、それぞれ４つの凹部７２、７２、…が形成され、該４つの凹部７２のうち右奥側に位置する凹部７２ａには基台側接続コネクター５となっている。
【００４４】
ガスコンロユニット９０のケース体９１の底部９３には４つの凸部９３、９３、…が設けられており、これら凸部９３は上記基台７０に形成された凹部７２にそれぞれ対応した位置に形成され、かつ、各凹部７２に凸部９３が嵌合される大きさに形成されている。
これにより、ガスコンロユニット９０を基台７０の所定の載置スペースに載置したときに、４つの凸部９３が基台７０の凹部７２にそれぞれ嵌合されて、ガスコンロユニット９０が基台７０にセッティングされる。
また、ガスコンロユニット９０を当該加熱調理器具１Ｂから離して、食卓テーブル１００などで用いる場合には、ガスコンロユニット９０の上記凸部９３、９３、…が脚部として機能する。これにより、ガスコンロユニット９０のケース体９１の底部と食卓テーブル１００の上面との間に空間ができ、ガスコンロユニット９０のケース体９１が食卓テーブル１００に直接接触することがなく、食卓テーブル１００が熱くなることはない。なお、凸部９３、９３、…は少なくとも、３つあれば脚部としてガスコンロユニット９０を安定させることができる。この場合、基台７０の各載置スペースには３つの凹部７２、７２、…を形成しておけばよい。
【００４５】
一方、ＩＨコンロユニット８０のケース体８１の底部には、その上記基台７０の凹部７２のうち右奥側に位置する凹部７２ａに対応する位置に凸部８３が設けられ、該凸部８３が前記コンロ側接続コネクター２７となっている。これにより、ＩＨコンロユニット８０を基台７０の載置スペースに載置すると、ケース体８１の底部の凸部８３（コンロ側接続コネクター２７）が基台７０の凹部７２ａ（基台側接続コネクター５）に嵌合して、電気的接続が図られる。
なお、ＩＨコンロユニット８０にもそのケース体８１の底部に４つの凸部を設けて、食卓テーブル１００などで使用する場合の脚部として用いることもできる。この場合、ＩＨコンロユニット８０への電力供給は、コンロ側接続コネクター２７が設けられた凸部８３とは別に設けられたコンロ側接続コネクターに電源コードを接続するようにすればよい。また、凸部８３にコンロ側接続コネクター２７を電力供給用とする場合には、電源コード側の接続コネクターをたとえばＬ字型の形状にすることが考えられる。
【産業上の利用可能性】
【００４６】
上記各実施例においては主として電化住宅で用いる加熱調理器具として説明したが、本発明加熱調理器具は、これに限らず、ガス設備を有する場合にも適用することができる。
【図面の簡単な説明】
【００４７】
【図１】図２乃至図５と共に、本発明の実施例１を示すもので、本図は加熱調理器具の全体構成を示す分解斜視図である。
【図２】ＩＨコンロユニットの断面図である。
【図３】ＩＨコンロユニットの平面図である。
【図４】ガスコンロユニットの断面図である。
【図５】ガスコンロユニットの平面図である。
【図６】実施例２にかかる加熱調理器具の概略断面図である。
【図７】図８乃至図１０と共に、本発明の実施例３を示すもので、本図は加熱調理器具の全体構成を示し、基台に対してガスコンロユニットを載置する様子を示す分解斜視図である。
【図８】ガスコンロユニットを食卓テーブルに載置した状態を示す概略側面図である。
【図９】ガスコンロユニットを基台に載置した状態を示す概略側面図である。
【図１０】ＩＨコンロユニットを基台に載置した状態を示す概略側面図である。
【符号の説明】
【００４８】
１  加熱調理器具
２  基台
３  凹所
４  底板
５  基台側接続コネクター
２０  ＩＨコンロユニット
２１  ケース体
２２  磁力発生コイル
２３  天板
２４  トッププレート
２５  操作部
２６  底板
２７  コンロ側接続コネクター
３０  ガスコンロユニット
３１  ケース体
３２  コンロ部
３３  ガスカートリッジ式ボンベ
３４  操作部
３５  天板
３６  底板
３６ａ  凹部
１Ａ  加熱調理器具
４０  基台
４１  凹所
５０  ＩＨコンロユニット
６０  ガスコンロユニット
１Ｂ  加熱調理器具
７０  基台
７１  天板
７２  凹部
７２ａ  凹部
８０  ＩＨコンロユニット
８１  ケース体
８２  底部
８３  凸部
９０  ガスコンロユニット
９１  ケース体
９２  底部
９３  凸部
１００  食卓テーブル
【図１】
2005282997.tif 000003
【図２】
2005282997.tif 000004
【図３】
2005282997.tif 000005
【図４】
2005282997.tif 000006
【図５】
2005282997.tif 000007
【図６】
2005282997.tif 000008
【図７】
2005282997.tif 000009
【図８】
2005282997.tif 000010
【図９】
2005282997.tif 000011
【図１０】
2005282997.tif 000012